(57)【要約】【課題】回路遮断器の警報スイッチ部材，または補助スイッチ部材を内蔵でき，各スイッチ部材の内蔵にあたっては，遮回路遮断器が配線用遮断器，または漏電遮断器である場合に係わらず，機構部や漏電検出部等の設計に制約を与えない回路遮断器を提供すること。【解決手段】ケースとカバーにより器体を構成し，器体の一端には電源端子が配設された電源端子収容部を設け，他端には負荷端子が配設された負荷端子収容部を設け，前記電源端子から負荷端子に至る通電路に，接点装置を設け，該接点装置を開極，閉極動作するハンドル部材を含んでなる開閉機構と，過電流発生時等においては前記開閉機構に作用し接点装置を開極動作させる過電流引き外し手段と，開閉機構の動作に従動する連係部材の動作により駆動され接点信号を出力するスイッチ部材とを備え，前記スイッチ部材は電源端子収容部または負荷端子収容部に配設されたことを特徴として回路遮断器を提供した。【選択図】      図１ 
2005353439.tif 000002
【特許請求の範囲】
【請求項１】
ケースとカバーにより器体を構成し，
器体の一端には電源端子が配設された電源端子収容部を設け，他端には負荷端子が配設された負荷端子収容部を設け，
前記電源端子から負荷端子に至る通電路に，
可動接点を備えた可動接触子と，該可動接点と対をなし対向して固定接点を備えた固定接触子とからなる接点装置を設け，
該接点装置を開極もしくは閉極動作するハンドル部材を含んでなる開閉機構と，
過電流発生時においては前記開閉機構に作用し可動接点を開極動作させる過電流引き外し手段と，
ハンドル部材を操作することによる開閉動作および過電流による開極動作，またはハンドル部材を操作することによる開閉動作において開閉機構が移動する軌跡上に配設され，該開閉機構と当接して開閉機構の動作に従動する連係部材と，
該連係部材の動作により駆動され接点信号を出力するスイッチ部材とを備え，
前記スイッチ部材は電源端子収容部または負荷端子収容部に配設されたことを特徴とする回路遮断器。
【請求項２】
ケースとカバーにより器体を構成し，
器体の一端には電源端子が配設された電源端子収容部を設け，他端には負荷端子が配設された負荷端子収容部を設け，
前記電源端子から負荷端子に至る通電路に，
可動接点を備えた可動接触子と，該可動接点と対をなし対向して固定接点を備えた固定接触子とからなる接点装置を設け，
該接点装置を開極もしくは閉極動作するハンドル部材を含んでなる開閉機構と，
過電流発生時においては前記開閉機構に作用し可動接点を開極動作させる過電流引き外し手段と，
不平衡電流を検出し前記開閉機構に作用して接点装置を開極させる漏電引き外し装置と，
ハンドル部材を操作することによる開閉動作および過電流および不平衡電流による開極動作，またはハンドル部材を操作することによる開閉動作において開閉機構が移動する軌跡上に配設され，該開閉機構と当接して開閉機構の動作に従動する連係部材と，
該連係部材の動作により駆動され接点信号を出力するスイッチ部材とを備え，
前記スイッチ部材は電源端子収容部または負荷端子収容部に配設されたことを特徴とする回路遮断器。
【発明の詳細な説明】
【技術分野】
【０００１】
本発明は分電盤に使用される回路遮断器に関し，特に電灯分電盤用協約形の回路遮断器であって，協約単位幅寸法を保って構成された２極回路遮断器に関する。
【背景技術】
【０００２】
従来，日本工業規格ＪＩＳ−Ｃ８３７０の付属書５に示されたような協約単位幅寸法を保って構成された２極回路遮断器の例としては，図１７に示したような回路遮断器がある。
【０００３】
図１７は回路用配線用遮断器に係るものであり、この配線用遮断器は、中央に隔壁を備えた略Ｉ形断面のケース及びこのケースの両側にそれぞれ組み合わされた左右２極のカバーからなる絶縁物の本体と、左右一対の脚部を有し、この脚部で前記隔壁を跨いで前記ケースに回動可能に連結された開閉ハンドルと、板面が前記ケース隔壁に沿うようにその両側に配置され、一端が前記開閉ハンドルの脚部に回動可能に連結され、他端に可動接点が取り付けられた平板な左右２極の可動接触子と、短冊状のバイメタル、平板な基体とその両側に折り曲げ形成された脚部とからなるコ字形断面の磁路を有し、その両脚部で前記バイメタルをその幅方向から囲む固定鉄心、前記バイメタルと平行に一端で回動可能に支持され、他端の接極部が前記固定鉄心に対向する平板なアーマチュア及びこのアーマチュアを前記固定鉄心と反対の側に付勢する復帰スプリングからなり、前記アーマチュアの板面が前記ケース隔壁に沿うようにこの隔壁の一方の側に配置された過電流引外し素子と、板面が前記ケース隔壁に沿うようにこの隔壁と前記過電流引外し素子との間に配置され、一端で前記ケースに回動可能に支持されるとともに、他端に側方に突出する爪を有し、この爪で前記アーマチュア側面の段部に係止された平板なラッチと、前記ケース隔壁と前記左右２極の可動接触子との間にそれぞれ配置され、前記可動接触子と前記ラッチとの間に掛け渡された引張ばねからなる左右２極の開閉スプリングと、前記過電流引外し素子に設けられ、前記バイメタル又はアーマチュアを緩く挿通して前記アーマチュア又はバイメタルにねじ込まれ、頭部が隙間を介して前記バイメタル又はアーマチュアと対向する調整ねじと、前記可動接点と対向する固定接点が取り付けられるとともに端子が一体形成され、前記ケース隔壁の一端両側にそれぞれ配置された左右２極の固定接触子と、
前記ケース隔壁の他端両側にそれぞれ配置された左右２極の端子と、前記ケース隔壁の一方の側で前記過電流引外し素子の前記バイメタルの一端と前記可動接触子との間及び前記バイメタルの他端と前記端子との間をそれぞれ接続するリード線と、前記ケース隔壁の他方の側で前記可動接触子と前記端子との間を接続するリード線とを備えるものである。
【０００４】
また，図１８は，この配線用遮断器に漏電検出機能を付加して構成した漏電遮断器に係るものであり、ケース隔壁の両側で過電流引外し素子及び可動接触子と端子との間をそれぞれ接続する左右２極の導体、又は第１及び第２の過電流引外し素子と端子との間をそれぞれ接続する左右２極の導体を１次導体とする零相変流器と、この零相変流器の２次出力を増幅する漏電検出回路と、この漏電検出回路の出力により駆動され、復帰スプリングに抗してプランジャを吸引するトリップコイルユニットと、前記プランジャの吸引動作と連動して前記過電流引外し素子のアーマチュア又は前記第１の過電流引外し素子のアーマチュアを固定鉄心側に移動させる引外しレバーとからなる漏電引外し素子を設けて構成されている。
【０００５】
また，近年，電灯分電盤用協約形の回路遮断器において，協約単位幅寸法，即ち１極分の幅寸法で，２極分の機能を有する回路遮断器を構成しつつ，回路遮断器のトリップ状態を電気的に表示する警報スイッチや，または回路遮断器の接点の開閉状態を電気的に表示する補助スイッチを内蔵した多機能な遮断器を求められている。警報スイッチを内蔵した例として，図１９に示しているように，Ｉ形断面のケースの中央隔壁に沿わせてマイクロスイッチを配置することにより、警報スイッチの内蔵を可能としたものがあった。すなわち，マイクロスイッチからなる警報スイッチをラッチと連動するようにケース隔壁に沿わせて設け、この警報スイッチは取付穴を前記ケース隔壁に形成した突起に嵌合させ、前記ケース隔壁とカバーとで挟み込んで固定するように構成されたものである。
【特許文献１】特開平１０−６４４０２号公報（第０００７項，第００１１項，第００１９項，図４，図１７，図２６）
【発明の開示】
【発明が解決しようとする課題】
【０００６】
しかしながら，従来の回路遮断器には次のような問題があった。
【０００７】
この従来の配線用遮断器の本体は，中央に隔壁を備えた略Ｉ形断面のケース及びこのケースの両側にそれぞれ組み合わされた左右２極のカバーからなる絶縁物から成っており，漏電検出機能は，このケース隔壁の両側で，過電流引外し素子及び可動接触子と端子との間をそれぞれ接続する左右２極の導体，又は第１及び第２の過電流引外し素子と端子との間をそれぞれ接続する左右２極の導体を１次導体とする零相変流器と，この零相変流器の２次出力を増幅する漏電検出回路と、この漏電検出回路の出力により駆動され、復帰スプリングに抗してプランジャを吸引するトリップコイルユニットと、前記プランジャの吸引動作と連動して前記過電流引外し素子のアーマチュア又は前記第１の過電流引外し素子のアーマチュアを固定鉄心側に移動させる引外しレバーとからなる漏電引外し素子を設けて構成されている。
【０００８】
これに対し，警報スイッチの内蔵は，前記Ｉ形断面のケースの中央隔壁に沿わせてマイクロスイッチを配置することにより，警報スイッチの内蔵を可能としたものである。
【０００９】
このため，構造的に回路遮断器に対して，漏電検出機能と，警報スイッチの機能は排他的に設けられるという制約があった。通常，配線用遮断器に警報スイッチを設ける場合と，漏電遮断器に警報スイッチを設ける場合とがあるため，従来の例に示した回路遮断器においては，漏電遮断器に警報スイッチを設けることができず，回路遮断器に対して漏電検出機能と，警報スイッチの機能の両方を設けるというような遮断器の多機能化にあたっては，その内部的な構造が原因となり困難であった。
【００１０】
この発明は，上述のような問題点を解決するためになされたものであり，回路遮断器の形態が，配線用遮断器である場合，または漏電遮断器である場合に係わらず，回路遮断器のトリップ状態を電気的に外部に出力する警報スイッチ部材，または回路遮断器の接点の開閉状態を電気的に外部に出力する補助スイッチ部材を内蔵でき，各スイッチ部材の内蔵にあたっては，遮断器を構成する機構部や漏電検出部等の設計に制約を与えない回路遮断器を提供することを目的としている。
【課題を解決するための手段】
【００１１】
上述の目的を達成するために，本発明の請求項１では，
ケースとカバーにより器体を構成し，
器体の一端には電源端子が配設された電源端子収容部を設け，他端には負荷端子が配設された負荷端子収容部を設け，
前記電源端子から負荷端子に至る通電路に，
可動接点を備えた可動接触子と，該可動接点と対をなし対向して固定接点を備えた固定接触子とからなる接点装置を設け，
該接点装置を開極もしくは閉極動作するハンドル部材を含んでなる開閉機構と，
過電流発生時においては前記開閉機構に作用し可動接点を開極動作させる過電流引き外し手段と，
ハンドル部材を操作することによる開閉動作および過電流による開極動作，またはハンドル部材を操作することによる開閉動作において開閉機構が移動する軌跡上に配設され，該開閉機構と当接して開閉機構の動作に従動する連係部材と，
該連係部材の動作により駆動され接点信号を出力するスイッチ部材とを備え，
前記スイッチ部材は電源端子収容部または負荷端子収容部に配設されたことを特徴として回路遮断器を提供したものである。
これにより，電源端子収容部と負荷端子収容部との内側に，開閉機構等の回路遮断器の主たる構成部品を配設し，回路遮断器のトリップ状態や接点の開閉状態を外部に出力するスイッチ部材を電源端子収容部または負荷端子収容部に配設したために，主たる構成部品はスイッチ部材の配置による影響を受けずに設けることができ，また逆に，スイッチ部材は主たる構成部品の配置による影響を受けずに設けることができ，スイッチ部材の内蔵にあたっては回路遮断器を構成する機構部の設計配置に制約を与えない回路遮断器を構成することができる。
【００１２】
また請求項２では，
ケースとカバーにより器体を構成し，
器体の一端には電源端子が配設された電源端子収容部を設け，他端には負荷端子が配設された負荷端子収容部を設け，
前記電源端子から負荷端子に至る通電路に，
可動接点を備えた可動接触子と，該可動接点と対をなし対向して固定接点を備えた固定接触子とからなる接点装置を設け，
該接点装置を開極もしくは閉極動作するハンドル部材を含んでなる開閉機構と，
過電流発生時においては前記開閉機構に作用し可動接点を開極動作させる過電流引き外し手段と，
不平衡電流を検出し前記開閉機構に作用して接点装置を開極させる漏電引き外し装置と，
ハンドル部材を操作することによる開閉動作および過電流および不平衡電流による開極動作，またはハンドル部材を操作することによる開閉動作において開閉機構が移動する軌跡上に配設され，該開閉機構と当接して開閉機構の動作に従動する連係部材と，
該連係部材の動作により駆動され接点信号を出力するスイッチ部材とを備え，
前記スイッチ部材は電源端子収容部または負荷端子収容部に配設されたことを特徴として回路遮断器したものである。
これにより，電源端子収容部と負荷端子収容部との内側に，開閉機構，漏電引き外し装置等の回路遮断器の主たる構成部品を配設し，回路遮断器のトリップ状態や接点の開閉状態を外部に出力するスイッチを電源端子収容部または負荷端子収容部に配設したために，主たる構成部品はスイッチの配置による影響を受けずに設けることができ，また逆に，スイッチ部材は主たる構成部品の配置による影響を受けずに設けることができ，スイッチ部材の内蔵にあたっては回路遮断器を構成する機構部の設計配置に制約を与えない回路遮断器を構成することができる。
【発明の効果】
【００１３】
以上の如く本発明によれば，回路遮断器の形態が，配線用遮断器である場合，または漏電遮断器である場合に係わらず，回路遮断器のトリップ状態を電気的に外部に出力する警報スイッチ，または回路遮断器の接点の開閉状態を電気的に外部に出力する補助スイッチを内蔵でき，各スイッチの内蔵にあたっては，遮断器を構成する機構部や漏電検出部等の設計配置に制約を与えずにスイッチを内蔵可能とした回路遮断器を提供することができる。
【実施例１】
【００１４】
以下，本発明の実施の形態について，図面を用いて詳細に説明する。
【００１５】
図１は電源端子側を右側とした場合の回路遮断器の内部構造図を示している。図１では手前にＮ相，奥側にＬ相（図示しない）の配置となっている。また図２は図１の回路遮断器を反対側から臨んだ図である。図２では手前にＬ相，奥側にＮ相の配置となっている。
【００１６】
回路遮断器はその器体がケース１００とカバー２００とから構成されている。
【００１７】
器体には，電源端子１０１と負荷端子１０２が設けられ，該電源端子１０１から負荷端子１０２に至る通電路に，可動接点１０３１ａを備えた可動接触子１０３１と，該可動接点１０３１ａと対をなし対向して固定接点１０３２ａを備えた固定接触子１０３２とからなる接触装置１０３と，該接点装置１０３を開極もしくは閉極操作するためのハンドル部材１０５１を含んでなる開閉機構１０５と，電路における過電流が発生した場合には開閉機構１０５に作用し，可動接点１０３１ａを開極動作させる過電流引き外し手段１０８とが設けられている。
【００１８】
ケース１００には，ハンドル部材１０５１がピン１０５４を介して回動自在に支持されている，ハンドル部材１０５１は図中下向きに延びる腕部１０５１ａを有し，その一端に設けられた可動接触子係止部１０５２ｂにより可動接触子１０３１が回動自在に支承されている。
【００１９】
また，ケース１００にはアーム１０５２がピン１０５５を介して回動自在に支持され，同じく作動板１０５４がピン１０５６を介して回動自在に支持されている作動板１０５４には，アーム１０５２の一部が係合するための係合部１０５４ａが設けられており，作動板１０５４にアーム１０５２が係合されている状態においてハンドル部材の操作により接点装置１０３の開極動作ならびに閉極動作が行えるように構成している。
【００２０】
アーム１０５２と可動接触子１０３１には，ばね部材の掛かり止め部１０５３ａと１０５３ｂが設けられ，引張ばねからなるばね部材１０５３が掛けられるようになっており，互いが引き合わされるように付勢され、リンクを構成するハンドル部材１０５１と可動接触子１０３１において，可動接触子１０３１のばね部材係止部１０５３ｂとハンドル部材１０５１の回動中心となるピン１０５４を結ぶ線を死線として，可動接触子係止部１０５２ｂが死線を図中負荷端子側に越えるよう配置され、可動接触子１０３１はＯＮ状態である図示姿勢を保っている。なお，ハンドル部材１０５１にはその回動の角度の上限を定めるようケース１００と当接するハンドル回転角度規制部１０５１ｂを設けている。
【００２１】
ハンドル部材１０５１と可動接触子１０３１はリンクを構成しており，図１において可動接触子１０３１はばね部材１０５３の復元力により，ハンドル部材１０５１は時計回りに回転力を受けるとともに，可動接触子１０３１は反時計回りに回転力を受け，固定接触子１０３２に押圧するようＯＮ状態を保っている（閉極状態）。次に，この状態から開極状態に操作させる場合について説明する。
【００２２】
図１において，ハンドル部材１０５１を左方向（反時計回り）に回転操作すると，それに伴い腕部１０５１ａは右方向（反時計回り）に回動し，ハンドル部材１０５１と可動接触子１０３１とからなるリンクの死線を，可動接触子係止部１０５２ｂが越えることにより，可動接触子１０３１に対するばね部材１０５３の作用が反転して，可動接触子１０３１は可動接触子係止部１０５２ｂを回転中心として，時計回りの方向に力を受け，固定接触子１０３２から開極動作する（図３  ＯＦＦ状態）。
【００２３】
次に，電路に過電流が流れて過電流引き外し手段１０８が作用する場合について説明する。電路に過電流が流れると，図２において，ケース１００に設けられた電路の一部を構成するバイメタル１０８０は，そのケースへの取付部１０８０ａを支点として作動板１０５４と離れる方向にたわみ，作動板１０５４に設けられた動作時間を調整するための調整ねじ１０８３と係合し，作動板１０５４はピン１０５６を回動中心としてアーム１０５２との係合部１０５４ａにおける係合量が少なくなる方向に回動する。
【００２４】
回動が進み係止が解かれると，アーム１０５２はピン１０５５を回動中心として図２中時計回りに回動する。それに伴い，ばね部材係止部１０５３ａも時計回りに回動し、ばね部材係止部１０５３ｂと，可動接触子係止部１０５２ｂを結ぶ線上を越えた場合には，可動接触子1０３１に対するばね部材１０５３の作用が反転して，可動接触子１０３１は可動接触子係止部１０５２ｂを回動中心として図中反時計回りの方向に力を受け固定接触子１０３２から開極動作，即ちトリップ動作する（図４  トリップ状態）。
【００２５】
次に，トリップ動作により係止が解かれたアーム１０５２と作動板１０５４とを再び係合させる，即ちリセット動作させるには，ハンドル部材１０５１を一旦図４中時計回り（ＯＦＦ方向）に回動操作させ，該操作力によりハンドル部材１０５１の腕部１０５１ａでアーム１０５２の回動中心となるピン１０５５近傍に設けられた突出部１０５２ａを押圧することにより，アームを図２中反時計方向に回動中心をピン１０５５として回動させ，作動板の係合部１０５４ａの位置までアーム１０５２の係合部が持ち上げられることにより係合する。
【００２６】
電源端子１０１の下方には，回路遮断器の開極状態，即ちトリップ状態や，ハンドル部材を操作することによる接点の開閉状態を外部に出力するためのスイッチ部材１０７が配設されている。スイッチ部材１０７は前記電源端子１０１の下方で，該電源端子１０１と一体に形成された略Ｌ字形の固定接触子１０３２と，器体ケース１００の外郭との間の位置に，ケース１００とカバー２００とで挟み込むように配設固定されている。
【００２７】
スイッチ部材１０７は，自動復帰接点が内蔵した押しボタン１０７２により押圧されることにより接点信号を出力するタイプのマイクロスイッチであり，該押ボタン１０７２に対向して一端がスイッチ本体に揺動自在に支持された押ボタン操作片１０７１を一体に形成したものである。
【００２８】
スイッチ部材１０７は，この押ボタン操作片１０７１を押圧されることにより，内蔵された自動復帰接点が駆動し，接点信号を出力する。
また，開閉機構部１０５の動きを該スイッチ部材１０７に伝えるための連係部材１０６が設けられている。
【００２９】
連係部材１０６は，その一端が回動中心１０６ａとなるようケース１００に嵌め込まれ，略Ｌの字形に構成され，他端は前記押ボタン操作片１０７１と当接するよう設けられ，本連係部材１０６の回動により押ボタン操作片１０７１が押圧されスイッチ部材を駆動させる。
【００３０】
ここで連係部材１０６には，ハンドル部材１０５１の操作により開閉機構部が開閉動作する際の機構部１０５に当接する第一の当接部１０６１と過電流により過電流引外し手段１０８が作用し，開極動作する際の機構部１０５に当接する第二の当接部１０６２が設けられている。
【００３１】
図５には，開閉機構部１０５のハンドル部材１０５１の腕部１０５１ａを操作したことによる開閉動作に伴う移動軌跡を示し，図６には，図５に連係部材１０６を重ねた図を示している。連係部材１０６と機構部１０５のハンドル部材１０５１の腕部１０５１ａは，図中斜線部で当接するよう配設されてある。
【００３２】
ＯＮ状態からＯＦＦ状態に至る場合には，腕部１０５１ａと第一の当接部１０６１が当接し，連携部材１０６は１０６ａ部を回動の中心として図中反時計回りに押圧され，スイッチ押圧部１０６３にて押ボタン操作片１０７１を押圧し，スイッチ部材１０７を駆動する。
また，スイッチ部材１０７の自動復帰接点により，押ボタン１０７２は常に外側方向に力が加わっており，従って押ボタン操作片１０７１はスイッチ部材１０７の外側に向かって力を受けている。
【００３３】
回路遮断器がＯＦＦ状態からＯＮ状態に至る場合においては，当接していた腕部１０５１ａと第一の当接部は各々が離れる方向に動作するため，当接はなくなる。押ボタン操作片１０７１の復元力により，連係部材１０６は回動中心１０６ａを中心として図中時計回りに回動し，スイッチ部材から離れ，スイッチ部材は押圧されなくなる。
【００３４】
次に図７には，開閉機構部１０５の過電流引き外し動作に伴う移動軌跡を示している。
図８には，図７に連係部材１０６を重ねた図を示している。過電流引外し動作（トリップ動作）においては，アーム１０５２と作動板１０５４との係合が外れ，ピン１０５５を回動中心としてアームが図中反時計回りに回転することによりアームに設けられた突出部１０５２ａも同方向に回転を行い，連係部材１０６の第二の当接部１０６２に当接し，ばね部材１０５３の復元力により連係部材１０６は，１０６ａ部を回転の中心として図中反時計回りに回動し，スイッチ押圧部１０６３にて押ボタン操作片１０７１を押圧し，スイッチ部材１０７を駆動する。連係部材１０６の第一の当接部１０６１は機構部１０５とは当接しない。
【００３５】
このように連係部材１０６は，ハンドル部材１０５１の操作により開閉動作する際の機構部に等接する第一の当接部と，過電流により過電流引き外し手段が作用し，機構部が開極動作する際の機構部に等接する第二の当接部とを有して構成されてあり，ハンドルによる開閉動作と，過電流による引き外し動作との状態の異なる２つの状態をスイッチ部材に伝達することができるよう構成されてある。
【００３６】
以上のように，電源端子収容部と負荷端子収容部との内側に，開閉機構部等の回路遮断器の主たる構成部品を配設し，回路遮断器のトリップ状態や，接点の開閉状態を外部に出力するスイッチ部材１０７を電源端子収容部または負荷端子収容部に配設したために，主たる構成部品はスイッチ部材１０７の配置による影響を受けずに設けて回路遮断器を構成することができる。
【００３７】
通常，回路遮断器の接点状態を外部に出力する形態としては，過電流による開極動作およびハンドル部材を操作することによる開極動作を捉えて接点信号を出力する補助スイッチ付き回路遮断器Ａと，過電流による開極動作を捉えて接点信号を出力する警報スイッチ付き回路遮断器Ｂとの２つがあるため，補助スイッチ付き回路遮断器Ａと，警報スイッチ付き回路遮断器Ｂ両方の使用に対応することが可能である。
【００３８】
尚，実施例においてはスイッチ部材としてマイクロスイッチを用いたが，その他のスイッチ部材として，接点信号を外部に出力することが可能で，遮断器の電源端子収容部または負荷端子収容部に配設できるものであれば，通常の押ボタンスイッチやトグルスイッチ等であってもよい。
【００３９】
次に，本発明の回路遮断器が漏電遮断器である場合を図を用いて説明する。
【００４０】
図９は電源端子側を右側とした場合の回路遮断器の内部構造図を示している。図９では手前にＮ相，奥側にＬ相（図示しない）の配置となっている。また図１０は図９の回路遮断器を反対側から臨んだ図である。図１０では手前にＬ相，奥側にＮ相の配置となっている。先の実施例，即ち回路遮断器が配線用遮断器である場合と主たる構成部品は共通であるため，共通の部品については先の実施例と同一番号を用いて説明を行う。
【００４１】
回路遮断器はその器体がケース１００とカバー２００とから構成されている。
【００４２】
器体には，電源端子１０１と負荷端子１０２が設けられ，該電源端子１０１から負荷端子１０２に至る通電路に，可動接点１０３１ａを備えた可動接触子１０３１と，該可動接点１０３１ａと対をなし対向して固定接点１０３２ａを備えた固定接触子１０３２とからなる接触装置１０３と，該接点装置１０３を開極もしくは閉極操作するためのハンドル部材１０５１を含んでなる開閉機構１０５と，電路における過電流が発生した場合には開閉機構１０５に作用し，可動接点１０３１ａを開極動作させる過電流引き外し手段１０８とが設けられている。
【００４３】
ケース１００には，ハンドル部材１０５１がピン１０５４を介して回動自在に支持されている，ハンドル部材１０５１は図中下向きに延びる腕部１０５１ａを有し，その一端に設けられた可動接触子係止部１０５２ｂにより可動接触子１０３１が回動自在に支承されている。
【００４４】
また，ケース１００にはアーム１０５２がピン１０５５を介して回動自在に支持され，同じく作動板１０５４がピン１０５６を介して回動自在に支持されている作動板１０５４には，アーム１０５２の一部が係合するための係合部１０５４ａが設けられており，作動板１０５４にアーム１０５２が係合されている状態においてハンドル部材の操作により接点装置１０３の開極動作ならびに閉極動作が行えるように構成している。
【００４５】
アーム１０５２と可動接触子１０３１には，ばね部材の掛かり止め部１０５３ａと１０５３ｂが設けられ，引張ばねからなるばね部材１０５３が掛けられるようになっており，互いが引き合わされるように付勢され、リンクを構成するハンドル部材１０５１と可動接触子１０３１において，可動接触子１０３１のばね部材係止部１０５３ｂとハンドル部材１０５１の回動中心となるピン１０５４を結ぶ線を死線として，可動接触子係止部１０５２ｂが死線を図中負荷端子側に越えるよう配置され、可動接触子１０３１はＯＮ状態である図示姿勢を保っている。なお，ハンドル部材１０５１にはその回動の角度の上限を定めるようケース１００と当接するハンドル回転角度規制部１０５１ｂを設けている。
【００４６】
２１０は引き外しコイル（以後トリップコイルという），２１１は零相変流器（以後ＣＴという）を示している。本実施例で示す漏電遮断器は，先に示した実施例における配線用遮断器の内部に，新たにトリップコイル２１０，ＣＴ２１１，漏電検知器からなる漏電引き外し装置を配設して２極回路遮断器を構成したものである。
【００４７】
ＣＴ２１１には各極の負荷側端子１０２と固定接触子１０３２，もしくは可動接触子１０３１とを接続する接続導体を貫通させる貫通孔が設けられ，導体を流れる電流量に応じて電圧を出力する。漏電検知器は該ＣＴ２１１からの出力を増幅する増幅部を有しており，演算処理を行い，引き外しコイル２１０に信号を出力する。害引き外しコイル２１０は，接点装置を開極するための引き外し装置であり，前記漏電検知器からの出力を受け開閉機構部１０５に作用する。
【００４８】
ハンドル部材１０５１と可動接触子１０３１はリンクを構成しており，図１０において可動接触子１０３１はばね部材１０５３の復元力により，ハンドル部材１０５１は時計回りに回転力を受けるとともに，可動接触子１０３１は反時計回りに回転力を受け，固定接触子１０３２に押圧するようＯＮ状態を保っている（閉極状態）。次に，この状態から開極状態に操作させる場合について説明する。
【００４９】
図１０において，ハンドル部材１０５１を右方向（時計回り）に回転操作すると，それに伴い腕部１０５１ａは左方向（時計回り）に回動し，ハンドル部材１０５１と可動接触子１０３１とからなるリンクの死線を，可動接触子係止部１０５２ｂが越えることにより，可動接触子１０３１に対するばね部材１０５３の作用が反転して，可動接触子１０３１は可動接触子係止部１０５２ｂを回転中心として，反時計回りの方向に力を受け，固定接触子１０３２から開極動作する（図１１  ＯＦＦ状態）。
【００５０】
次に，電路に過電流が流れて過電流引き外し手段１０８が作用する場合について説明する。電路に過電流が流れると，図１０において，ケース１００に設けられた電路の一部を構成するバイメタル１０８０は，そのケースへの取付部１０８０ａを支点として作動板１０５４と離れる方向にたわみ，作動板１０５４に設けられた動作時間を調整するための調整ねじ１０８３と係合し，作動板１０５４はピン１０５６を回動中心としてアーム１０５２との係合部１０５４ａにおける係合量が少なくなる方向に回動する。
【００５１】
回動が進み係止が解かれると，アーム１０５２はピン１０５５を回動中心として図１０中時計回りに回動する。
【００５２】
それに伴い，ばね部材係止部１０５３ａも時計回りに回動し、ばね部材係止部１０５３ｂと，可動接触子係止部１０５２ｂを結ぶ線上を越えた場合には，可動接触子1０３１に対するばね部材１０５３の作用が反転して，可動接触子１０３１は可動接触子係止部１０５２ｂを回動中心として図１０中反時計回りの方向に力を受け固定接触子１０３２から開極動作，即ちトリップ動作する（図１２  トリップ状態）。
【００５３】
次に，トリップ動作により係止が解かれたアーム１０５２と作動板１０５４とを再び係合させる，即ちリセット動作させるには，ハンドル部材１０５１を一旦１２中時計回り（ＯＦＦ方向）に回動操作させ，該操作力によりハンドル部材１０５１の腕部１０５１ａでアーム１０５２の回動中心となるピン１０５５近傍に設けられた突出部１０５２ａを押圧することにより，アームを図１２中反時計方向に回動中心をピン１０５５として回動させ，作動板の係合部１０５４ａの位置までアーム１０５２の係合部が持ち上げられることにより係合する。
【００５４】
電源端子１０１の下方には，回路遮断器の開極状態，即ちトリップ状態や，ハンドル部材を操作することによる接点の開閉状態を外部に出力するためのスイッチ部材１０７が配設されている。スイッチ部材１０７は前記電源端子１０１の下方で，該電源端子１０１と一体に形成された略Ｌ字形の固定接触子１０３２と，器体ケース１００の外郭との間の位置に，ケース１００とカバー２００とで挟み込むように配設固定されている。
【００５５】
スイッチ部材１０７は，自動復帰接点が内蔵した押しボタン１０７２により押圧されることにより接点信号を出力するタイプのマイクロスイッチであり，該押ボタン１０７２に対向して一端がスイッチ本体に揺動自在に支持された押ボタン操作片１０７１を一体に形成したものである。
【００５６】
スイッチ部材１０７は，この押ボタン操作片１０７１を押圧されることにより，内蔵された自動復帰接点が駆動し，接点信号を出力する。
また，開閉機構部１０５の動きを該スイッチ部材１０７に伝えるための連係部材１０６が設けられている。
【００５７】
連係部材１０６は，その一端が回動中心１０６ａとなるようケース１００に嵌め込まれ，略Ｌの字形に構成され，他端は前記押ボタン操作片１０７１と当接するよう設けられ，本連係部材１０６の回動により押ボタン操作片１０７１が押圧されスイッチ部材を駆動させる。
【００５８】
ここで連係部材１０６には，ハンドル部材１０５１の操作により開閉機構部が開閉動作する際の機構部１０５に当接する第一の当接部１０６１と過電流および不平衡電流により過電流引外し手段１０８が作用し，開極動作する際の機構部１０５に当接する第二の当接部１０６２が設けられている。
【００５９】
開閉機構部１０５のハンドル部材１０５１を操作したことによる開閉動作に伴う移動軌跡は，前述の配線用遮断器と同様であるため図５で代替説明する。連係部材１０６を重ねた図は図６で代替する。連係部材１０６と機構部１０５のハンドル部材１０５１の腕部１０５１ａは，図中斜線部で当接するよう配設されてある。
【００６０】
ＯＮ状態からＯＦＦ状態に至る場合には，腕部１０５１ａと第一の当接部１０６１が当接し，連携部材１０６は１０６ａ部を回動の中心として図中反時計回りに押圧され，スイッチ押圧部１０６３にて押ボタン操作片１０７１を押圧し，スイッチ部材１０７を駆動する。
また，スイッチ部材１０７の自動復帰接点により，押ボタン１０７２は常に外側方向に力が加わっており，従って押ボタン操作片１０７１はスイッチ部材１０７の外側に向かって力を受けている。
【００６１】
回路遮断器がＯＦＦ状態からＯＮ状態に至る場合においては，当接していた腕部１０５１ａと第一の当接部は各々が離れる方向に動作するため，当接はなくなる。押ボタン操作片１０７１の復元力により，連係部材１０６は回動中心１０６ａを中心として図中時計回りに回動し，スイッチ部材から離れ，スイッチ部材は押圧されなくなる。
【００６２】
次に図７には，開閉機構部１０５の過電流引き外し動作に伴う移動軌跡を示している。
図８には，図７に連係部材１０６を重ねた図を示している。過電流引外し動作または不平衡電流による引外し，即ちトリップ動作においては，アーム１０５２と作動板１０５４との係合が外れ，ピン１０５５を回動中心としてアームが図中反時計回りに回転することによりアームに設けられた突出部１０５２ａも同方向に回転を行い，連係部材１０６の第二の当接部１０６２に当接し，ばね部材１０５３の復元力により連係部材１０６は，１０６ａ部を回転の中心として図中反時計回りに回動し，スイッチ押圧部１０６３にて押ボタン操作片１０７１を押圧し，スイッチ部材１０７を駆動する。連係部材１０６の第一の当接部１０６１は機構部１０５とは当接しない。
【００６３】
このように連係部材１０６は，ハンドル部材１０５１の操作により開閉動作する際の機構部に等接する第一の当接部と，過電流および不平衡電流により過電流引き外し手段が作用し，機構部が開極動作する際の機構部に等接する第二の当接部とを有して構成されてあり，ハンドルによる開閉動作と，過電流による引き外し動作との状態の異なる２つの状態をスイッチ部材に伝達することができるよう構成されてある。
【００６４】
以上のように，電源端子収容部と負荷端子収容部との内側に，開閉機構部や漏電引き外し装置等の回路遮断器の主たる構成部品を配設し，回路遮断器のトリップ状態や，接点の開閉状態を外部に出力するスイッチ部材１０７を電源端子収容部または負荷端子収容部に配設したために，主たる構成部品はスイッチ部材１０７の配置による影響を受けずに設けて回路遮断器を構成することができる。
【００６５】
通常，回路遮断器の接点状態を外部に出力する形態としては，過電流による開極動作およびハンドル部材を操作することによる開極動作を捉えて接点信号を出力する補助スイッチ付き回路遮断器Ａと，過電流による開極動作を捉えて接点信号を出力する警報スイッチ付き回路遮断器Ｂとの２つがあるため，補助スイッチ付き回路遮断器Ａと，警報スイッチ付き回路遮断器Ｂ両方の使用に対応することが可能である。
【００６６】
尚，実施例においてはスイッチ部材としてマイクロスイッチを用いたが，その他のスイッチ部材として，接点信号を外部に出力することが可能で，遮断器の電源端子収容部または負荷端子収容部に配設できるものであれば，通常の押ボタンスイッチやトグルスイッチ等であってもよい。
【図面の簡単な説明】
【００６７】
【図１】回路遮断器のＯＮ状態を示す内部構造図である。
【図２】回路遮断器のＯＮ状態を示す内部構造図である。
【図３】回路遮断器のＯＦＦ状態を示す内部構造図である。
【図４】回路遮断器のトリップ状態を示す内部構造図である。
【図５】ハンドル部材をＯＮ−ＯＦＦしたときの機構部の移動軌跡。
【図６】連係部材を重ね合わせた図。
【図７】トリップ時の機構部の移動軌跡。
【図８】連係部材を重ね合わせた図。
【図９】漏電遮断器におけるＯＮ状態を示す内部構造図である。
【図１０】漏電遮断器のＯＮ状態を示す内部構造図である。
【図１１】漏電遮断器のＯＦＦ状態を示す内部構造図である。
【図１２】漏電遮断器のトリップ状態を示す内部構造図である。
【図１３】従来の配線用遮断器の例を示す図。
【図１４】従来の漏電遮断器の例を示す図。
【図１５】従来の遮断器において警報スイッチを内蔵した図。
【符号の説明】
【００６８】
１００  ケース
２００  カバー
１０１  電源端子
１０２  負荷端子
１０３  接点装置
１０３１  可動接触子
１０３１ａ  可動接点
１０３２  固定接触子
１０３２ａ  固定接点
１０５  開閉機構
１０５１  ハンドル部材
１０５１ａ  腕部
１０５１ｂ  ハンドル回転角度規制部
１０５２  アーム
１０５２ａ  突出部
１０５２ｂ  可動接触子係止部
１０５３  ばね部材
１０５３ａ  ばね部材の係止部
１０５３ｂ  ばね部材の係止部
１０５４  作動板
１０６  連係部材
１０６１  第一の当接部
１０６２  第二の当接部
１０６３  スイッチ押圧部
１０７  スイッチ部材
１０７１  押ボタン操作片
１０７２  押ボタン
１０８  過電流引き外し手段
１０８０  バイメタル
１０８０ａ  取付部
１０８３  調整ねじ
【図１】
2005353439.tif 000003
【図２】
2005353439.tif 000004
【図３】
2005353439.tif 000005
【図４】
2005353439.tif 000006
【図５】
2005353439.tif 000007
【図６】
2005353439.tif 000008
【図７】
2005353439.tif 000009
【図８】
2005353439.tif 000010
【図９】
2005353439.tif 000011
【図１０】
2005353439.tif 000012
【図１１】
2005353439.tif 000013
【図１２】
2005353439.tif 000014
【図１３】
2005353439.tif 000015
【図１４】
2005353439.tif 000016
【図１５】
2005353439.tif 000017